(57)【要約】      （修正有）【課題】逮捕現場で適宜選択的に警棒と刺股とを併用又は順に利用でき、しかも刺股として働く際も警棒本来の打撃又は打突ができるようにする。【解決手段】第１棒体１１の内部に後端側が回動軸１４１により軸着されたアーム１４と、前記アーム１４の姿勢を拘束するストッパーとから構成され、アーム１４の後端縁を第１棒体１１の外面に平行な外側縁に対してストップ角αで斜めに形成し、ストッパーの先端面を直角から前記ストップ角αを差し引いた残余角βの断面台形に形成し、ストッパーを後退自在にして前方に付勢して、第１棒体１１に交差して突出する展開状態にあるアーム１４の外側縁にストッパーの先端面を押し当ててアーム１４の姿勢を拘束する刺股形成機構を設けた警棒１である。【選択図】図２
2010249442.tif 000002
【特許請求の範囲】
【請求項１】
棒体の内部に後端側が回動軸により軸着されたアームと、前記アームの姿勢を拘束するストッパーとから構成され、
アームの後端縁を棒体の外面に平行な外側縁に対してストップ角αで斜めに形成し、ストッパーの先端面を直角から前記ストップ角αを差し引いた残余角βの断面三角形又は断面台形に形成し、ストッパーを後退自在にして前方に付勢して、
棒体に内蔵されて格納状態にあるアームの後端縁にストッパーの先端面を押し当ててアームの姿勢を拘束し、棒体に交差して突出する展開状態にあるアームの外側縁にストッパーの先端面を押し当ててアームの姿勢を拘束し、ストッパーを一時的に後退させてアームを解放し、アームを格納状態と展開状態との間で回動させる
刺股形成機構。
【請求項２】
アームは、回動軸を挟んで後端縁と反対側の内側縁から、棒体の内面に向けて付勢された押し出し突起を設けた請求項１記載の刺股形成機構。
【請求項３】
ストッパーは、アームより後方に設けた区切りとの間にコイルスプリングを介装することにより前方に付勢し、後方へ延びる操作条を棒体外に引き出し、前記操作条を引っ張ることにより一時的に後退させる請求項１又は２いずれか記載の刺股形成機構。
【請求項４】
請求項１〜請求項３いずれか記載の刺股形成機構を設けた警棒。
【請求項５】
請求項１〜請求項３いずれか記載の刺股形成機構を設けた警杖。
【発明の詳細な説明】
【技術分野】
【０００１】
本発明は、警棒又は警杖等、棒体に内蔵される格納状態と、棒体に交差して突出する展開状態との間で、棒体に対して出没自在にアームを取り付けた刺股形成機構と、前記刺股形成機構を用いた警棒又は警杖に関する。
【背景技術】
【０００２】
警察官や警備員が常用する武器又は逮捕具として、警棒（警備員は「警戒棒」）又は警杖（警備員は「警戒杖」）がある。一般に、腕の長さ未満が警棒、それ以上が警杖と分類され、警察庁においては明確に長さ、外形及び重さによって区分されているが、これら警棒又は警杖は中実又は中空な木製、樹脂製又は金属製の棒体である点で共通する。具体的には、警棒は、近年、持ち運びに際して短くし、使用に際して長くすることができる点から、伸縮式警棒が普及し始めている（2006年11月より警察官に正式採用された警棒は３段伸縮式である）。警察官が用いる警杖は３種類の固定長であるが、警備員が用いる警戒杖は伸縮式が認められている。このほか、警杖に似た逮捕具として刺股がある。刺股は、Ｕ字状（Ｖ字状を含む）に分かれた部分（以下、Ｕ字状分岐部分）を先端に有する棒体で、通常全長が２ｍ以上あり、遠く離れた位置から暴漢の首や腕を壁又は地面等に押さえつけ、暴漢の自由を拘束する。
【０００３】
刺股は、棒体の先端にＵ字状分岐部分を有することにより、上述のように、暴漢の自由を拘束する働きがある点に特徴がある。これに対し、警棒又は警杖は、主に打撃又は打突により暴漢を攻撃することに適している。このように、警棒又は警杖と刺股とはそれぞれ効果を発揮する場面が分かれるため、複数の警察官等（警備員を含む）が警棒又は警杖と刺股とを別に持ち、逮捕現場で警棒又は警杖と刺股とが併用又は順に利用される（例えばある警察官等が警棒又は警杖で攻撃し、続いて別の警察官等が刺股で自由を拘束する）。そこで、警棒又は警杖と刺股とが兼用できると便利と考え、例えば特許文献１又は特許文献２が、刺股の働きを付加できる警棒又は警杖を提案している。
【０００４】
特許文献１が開示する警棒は、棒体の先端（先端ポール）にアタッチメント取付け用ネジ部を設け、前記ネジ部に刺股のＵ字状分岐部分（三股アタッチメント）を着脱自在に取り付ける構成であり、特許文献２が開示する警杖もほぼ同様である。すなわち、特許文献１が開示する警棒又は特許文献２が開示する警杖は、普段は通常の警棒又は警杖として用いながら、必要に応じて棒体の先端に刺股のＵ字状分岐部分を取り付けることにより、刺股として利用できるようにしている。これにより、特許文献１が開示する警棒又は特許文献２が開示する警杖は、鍔を持った警棒等に比べ、暴漢が用いる武器をできるだけ遠くで受け止めることができたり、刺股のＵ字状分岐部分に代えて、別構成のアタッチメントを棒体に取り付けて多用途に用いたりできる利点があるとしている。
【先行技術文献】
【特許文献】
【０００５】
【特許文献１】特開2007-192523号公報
【特許文献２】特開2007-205684号公報
【発明の概要】
【発明が解決しようとする課題】
【０００６】
特許文献１が開示する警棒又は特許文献２が開示する警杖は、必要に応じて、警棒又は警杖を刺股として利用できるようにした点で優れている。しかし、刺股のＵ字状分岐部分を棒体の先端に取り付ける手間が必要であり、例えば逮捕現場で、最初は警棒又は警杖として用いながら逮捕活動継続中に刺股へ変更することは、実際上不可能と言わざるを得ない。つまり、特許文献１が開示する警棒又は特許文献２が開示する警杖は、警棒又は警杖として用いるか、それとも刺股として用いるかを予め決めておかなければならない不便さがあり、結局は従来同様、複数の警察官等が警棒又は警杖と刺股のＵ字状分岐部分を取り付けた警棒又は警杖＝刺股とを別に持ち、逮捕現場で警棒又は警杖と刺股とが併用又は順に利用されることになると考えられる。
【０００７】
また、警棒又は警杖を構成する棒体の先端に刺股のＵ字状分岐部分を取り付けるということは、警棒又は警杖以外に、刺股のＵ字状分岐部分を別途持ち歩く必要がある。警察官等が車両で移動しているのであればまだよいが、徒歩による警ら中又は警備中であれば、持ち歩く刺股のＵ字状分岐部分が不便で仕方がない。更に、特許文献１が開示する警棒又は特許文献２が開示する警杖は、別構成のアタッチメントを棒体に取り付けて多用途に用いることができる点を利点としているが、前述のように、刺股のＵ字状分岐部分を持ち歩くことが不便であれば、前記利点は前記不便を増長させるもの以外何ものでもないことになる。
【０００８】
このほか、特許文献１が開示する警棒又は特許文献２が開示する警杖は、刺股のＵ字状分岐部分が三つ股になっており、前記刺股のＵ字状分岐部分を棒体の先端に取り付けた場合、警棒又は警杖よりも刺股としての働きが強くなり、そして突起物となる三つ股のＵ字状分岐部分が過剰に危険な部位となるため、警棒又は警杖本来の働きである打撃又は打突がやりにくくなる問題がある。できれば、刺股として働く際も、なお警棒又は警杖本来の働きである打撃又は打突ができることが望ましい。そこで、単一の警察官等が持ち、逮捕現場で適宜選択的に警棒又は警杖と刺股とを併用又は順に利用できるようにし、しかも刺股として働く際も警棒又は警杖本来の働きである打撃又は打突ができるようにするため、特に刺股のＵ字状分岐部分を形成する手段（刺股形成機構）を検討した。
【課題を解決するための手段】
【０００９】
検討の結果開発したものが、棒体の内部に後端側が回動軸により軸着されたアームと、前記アームの姿勢を拘束するストッパーとから構成される刺股形成機構である。刺股形成機構は、アームの後端縁を棒体の外面に平行な外側縁に対してストップ角αで斜めに形成し、ストッパーの先端面を直角から前記ストップ角αを差し引いた残余角βの断面三角形又は断面台形に形成し、ストッパーを後退自在にして前方に付勢して構成される。これにより、棒体に内蔵されて格納状態にあるアームの後端縁にストッパーの先端面を押し当ててアームの姿勢を拘束し、棒体に交差して突出する展開状態にあるアームの外側縁にストッパーの先端面を押し当ててアームの姿勢を拘束し、ストッパーを一時的に後退させてアームを解放し、アームを格納状態と展開状態との間で回動させ、棒体から出没させる。
【００１０】
本発明の刺股形成機構は、棒体に対して適用できるため、警棒又は警杖のいずれにも適用できるほか、伸縮式又は非伸縮式を問わない。棒体は、格納状態のアームやストッパーを内蔵できる格納空間を内部に有すれば全体として中実でもよいが、前記アームやストッパーのほか、伸縮式の警棒又は警杖のための伸縮機構を内蔵するため、中空が好ましい。アームは、格納状態と展開状態との間で回動するアームを含む面（以下、回動面）に平行な板状を基本とするが、厚みを増した棒状にしてもよい。展開状態における刺股としての働きを考慮し、アームの先端側を鉤にするとよい。ストッパーは、アームの後端縁及び外側縁に先端面を押し当てることができればよく、例えば断面三角形又は断面台形の板状にしてもよいが、棒体の内部を安定して進退させる観点から、棒体の断面形状に等しい柱状体とし、先端面を断面三角形の錐状又は断面台形の錐台状にするとよい。
【００１１】
ここで、ストッパーを一時的に後退させて解放されたアームが自律的に展開状態の姿勢に向けて回動するように、アームは、回動軸を挟んで後端縁と反対側の内側縁から、棒体の内面に向けて付勢された押し出し突起を設けるとよい。これにより、アームは、ストッパーによる拘束から解放されると、押し出し突起が棒体の内面を押し、その反動により展開状態の姿勢に向けて回動する。また、後退自在にして前方に付勢するストッパーは、アームより後方に設けた区切りとの間にコイルスプリングを介装することにより前方に付勢し、例えばストッパーの側面から棒体の延在方向に延びる操作溝を通して外面に操作突起を突出させ、前記操作突起を操作溝に沿って移動させる構成や、後方へ延びる操作条を棒体外に引き出し、前記操作条を引っ張ることにより一時的に後退させる構成を例示できる。棒体に沿ってストッパーを後退させることから、操作条は区切りを貫通して棒体の後端から引き出すとよい。
【発明の効果】
【００１２】
本発明により、単一の警察官等が持ち、逮捕現場で適宜選択的に警棒又は警杖と刺股とを切り換えて、併用又は順に利用できる警棒又は警杖が提供できる。これは、ストッパーを一時的に後退させてアームを回動させることにより、適宜格納状態と展開状態との間でアームの姿勢を選択できるようにしたことによる効果である。とりわけ、逮捕現場で警棒又は警杖から刺股へ、そして刺股から警棒又は警杖へと切り換えることができるので、暴漢の行動に対して柔軟に対応できるようになる利点がある。また、後端側に設けた回動軸を中心にして回動し、棒体に対して交差するように前端側を突出するアームは、前端が必ず棒体の先端より後方に控えており、更に棒体の一側面から一方に突出するのみであるため、刺股として働く際も警棒又は警杖本来の働きである打撃又は打突ができる。
【図面の簡単な説明】
【００１３】
【図１】本発明を適用した伸縮式の警棒の一例を表す斜視図である。
【図２】本例の警棒において、アームの展開状態を表す図１相当斜視図である。
【図３】本例の警棒において、棒体を縮めた状態を表す図１相当斜視図である。
【図４】本例の警棒において、アームの格納状態を表す部分水平断面図である。
【図５】本例の警棒において、アームの格納状態を表す部分垂直断面図である。
【図６】本例の警棒において、アームの展開途中状態を表す図４相当部分水平断面図である。
【図７】本例の警棒において、アームの展開途中状態を表す図５相当部分垂直断面図である。
【図８】本例の警棒において、アームの展開状態を表す図４相当部分水平断面図である。
【図９】本例の警棒において、アームの展開状態を表す図５相当部分垂直断面図である。
【図１０】別例の警棒において、アームの格納状態を表す部分水平断面図である。
【図１１】別例の警棒において、アームの展開状態を表す図４相当部分水平断面図である。
【図１２】更に別例の警棒において、アームの格納状態を表す部分水平断面図である。
【図１３】更に別例の警棒において、アームの展開状態を表す図４相当部分水平断面図である。
【図１４】本発明を適用した警杖の一例を表す斜視図である。
【発明を実施するための形態】
【００１４】
本発明を実施するための形態について図を参照しながら説明する。本例の警棒１は、図１に見られるように、中空の金属製棒体である第１棒体11、第２棒体12及び第３棒体13から構成される３段伸縮式である。刺股形成機構は、第１棒体11に設けられ、図２に見られるように、必要に応じて第１棒体11と交差するようにアーム14を展開させる。第１棒体11の先端は金属製の先端キャップ115で、第３棒体13の後端はグリップ131で塞がれ、グリップ131の後端から突出させた操作ワイヤー16（後掲図４以降参照）に操作クリップ161を取り付けている。第１棒体11、第２棒体12及び第３棒体13の伸縮機構は、従来公知の各種手段が利用できる。本例の警棒１は、第１棒体11の解除ボタン114を第２棒体12に係合させ、第２棒体12の解除ボタン121を第３棒体13に係合させて伸長状態を維持する伸縮機構を用いており、前記解除ボタン114及び解除ボタン121を押し込むことで前記係合を解除し、図３に見られるように、全長を短くできる。
【００１５】
刺股形成機構は、図４及び図５に見られるように、中空の第１棒体11の内部である格納空間111に、回動軸141によりアーム14を軸着し、前記アーム14より後方にストッパー15を内蔵して構成される。ここで、説明の便宜上、図４及び図５では、アームの回動面に平行な方向を水平、前記回動面に直交する方向を垂直として図示している（以下、図６〜図９も同じ）。アーム14は、常態として格納空間111に格納され、何ら第１棒体11から突出させない。しかし、後述するように、ストッパー15を一時的に後退させると、アーム14は、前記格納空間111に連通する出没スリット112を通じて、第１棒体11に交差するように突出する（図２参照）。
【００１６】
本例のアーム14は、第１棒体の外面に平行な倣い側縁149及び後側縁143、前記外側縁143に対してストップ角αで傾斜した後端縁142、前方に向けて徐変に傾斜した内側縁144に囲まれた板材で、前端に鉤145を設けている。本例のストップ角αは45度である。外側縁143及び倣い側縁149は、本来一直線に揃えてもよいが、本例は、アーム14が格納状態にあるとき、出没スリット112を埋めるように設けた倣い側縁149に対し、第１棒体11の内面に当接するように外側縁143を控えて設けている。後端縁142と内側縁144とは、アーム14の回動時、第１棒体11の内部と干渉しないように、円弧状に形成した角部を介して連続している。そして、鉤145は、内側縁144を徐変に傾斜させ、前端に対して前記内側縁144を凹ませることにより、設けている。これにより、本例の鉤144は、アーム14を展開状態にすると第１棒体11に向かって突出することになり（図２参照）、例えば暴漢を取り押さえた際に衣服に鉤144が引っかかり、容易に外れないようにできる。
【００１７】
このほか、本例のアーム14は、回動軸141を挟んで後端縁142と反対側かつ回動軸14近傍の内側縁144から、第１棒体11の内面に向けて付勢された押し出し突起146を設けている。押し出し突起146は、先端が半球状に形成された金属製の円柱ブロックで、アーム14に設けられた円筒状の孔からなる突起軌道147に収められ、後端と突起軌道147の底との間にコイルスプリング148を介装している。アーム14が格納状態にあると、押し出し突起146は先端が第１棒体11の内面に接触して押し込められ、コイルスプリング148が圧縮される。このため、アーム14がストッパー15による拘束から解放されると、押し出し突起146が第１棒体11の内面を押し、その反動により展開状態の姿勢に向けてアーム14を回動させることができる（後掲図６参照）。アーム14の展開状態における押し出し突起146は、アーム14を回動させて格納空間111に格納されると、先端が第１棒体11の内面に摺接して押し込められるので、特に操作することなく、再びコイルスプリング148を圧縮させることができる。
【００１８】
ストッパー15は、直角から前記ストップ角αを差し引いた残余角βの円錐台状の先端面151を有し、第１棒体11の断面形状にほぼ等しい金属製円柱状のブロックで、アーム14の後方で第１棒体11の内部に挿入されている。本例の残余角βは、上述のようにストップ角αが45度であるから、等しく45度である。本例のストッパー15は、後端面から前方に向けて設けた嵌合穴152にコイルスプリング153を嵌め込み、ストッパー15より更に後方に設けた区切り113との間に前記コイルスプリング153を圧縮状態で介装している。これにより、ストッパー15は、進退自在でありながら先方に付勢された常態となり、第１棒体11に内蔵されて格納状態にあるアーム14の後端縁142や、第１棒体11に交差して突出する展開状態にあるアーム14の外側縁143それぞれに、錐台状の先端面151を押し当てることができる。
【００１９】
また、本例のストッパー15は、嵌合穴152からコイルスプリング153を通じ、更に区切り113を貫通して後方へ延びる操作ワイヤー16を第３棒体13のグリップ外131の後端から引き出し、操作クリップ161を取り付けている。操作ワイヤー16は、第３棒体13から第２棒体12、第２棒体12から第１棒体11を引き出して警棒１を伸長した際、緊張状態になる長さに設定されている。これにより、警棒１を伸長した際に操作クリップ161を使って操作ワイヤー16を引っ張ると、ストッパー15を一時的に後退させてアーム14を解放することができ、格納状態にあるアーム14は、既述したように、押し出し突起146の働きにより出没スリット112から展開状態の姿勢に向けて回動させ、逆に展開状態にあるアーム14は、押し出し突起146の反発に抗して手で押し込み、格納状態の姿勢に向けて回動させることができる。
【００２０】
次に、本例の警棒１において、図４〜図９に基づき、アーム14の展開手順を説明する。アーム14を展開するには、まず警棒１を伸長する。そして、格納状態にあるアーム14は、図４及び図５に見られるように、コイルスプリング153の働きにより前方に付勢されたストッパー15の先端面151が、ストップ角α（本例は45度）に形成された後端縁142に押し付けられ、前記格納状態が維持されている。このアーム14の格納状態では、倣い側縁149は、第１棒体11の側面に開口した出没スリット112をほぼ全域にわたって埋めている。また、内側縁144から突出する押し出し突起146は、コイルスプリング148を圧縮して、先端を第１棒体11の内面に押し付けている。これにより、アーム14は押し出し突起146を介して第１棒体11の内面に弾支されている格好となり、例えば警棒１を持ち運ぶ際のガタツキが防止されている。
【００２１】
アーム14の格納状態において、操作クリップ161（図１参照）を使って操作ワイヤー16を引っ張ると、図６及び図７に見られるように、ストッパー15を一時的に後退させることができる。こうしてストッパー15による拘束から解放されたアーム14は、既述したように、押し出し突起146が第１棒体11の内面を押すこと（図６中コイルスプリング148上の太矢印参照）により、出没スリット112から展開状態の姿勢に向けて回動する（図６中出没スリット112と内側縁144との間の塗潰し矢印参照）。アーム14は、回動軸141を介して第１棒体11に軸着しており、回動に際して抵抗となるようなものは設けていないので、コイルスプリング148の反発力が十分なものであれば、展開状態まで回動させることができる。
【００２２】
このとき、アーム14の後端縁142及び外側縁143が交差する角部が先端面151と干渉しない長さ（干渉回避長さ）だけストッパー15を後退させる必要から、例えば警棒１を伸長して緊張状態にある操作ワイヤー16に、前記干渉回避長さだけ引っ張ると第３棒体13（図１等参照）の後端に掛止する規制片を設け、前記規制片が第３棒体13の後端に掛止するまで操作クリップ151を引っ張らせるとよい。規制片は、警棒１を縮めた際、操作ワイヤー16が第３棒体13の後端から突出する長さを、干渉回避長さだけに制限する働きもある。更に、規制片に対して前方に付勢するコイルスプリングを設けると、警棒１を縮めた際、掛止片が前方に付勢され、操作ワイヤー16をほとんど突出させずに済む。
【００２３】
アーム14が展開状態に至ると、図８及び図９に見られるように、操作クリップ161（図１参照）を離すと、ストッパー15はコイルスプリング153の働きにより前方に押し出され、今度は外側縁143に先端面151が押し付けられ、アーム14の展開状態における姿勢が拘束される。本例の警棒１は、ストップ角αが45度であるため、刺股として第１棒体から張り出すアーム14の第１棒体11に対する交差角γも45度である。また、図８から明らかなように、アーム14の先端に設けられた鉤145が第１棒体11の先端より控え長Δだけ後方に控えることになるため、アーム14を展開状態にして刺股として働く警棒１は打突できる。更に、アーム14は、第１棒体11の一側面から一方（図８中図面下方向）に突出するのみであるため、アーム14を展開状態にして刺股として働く警棒１は、前記一方の反対方向（打撃方向、図９中図面上方）に打撃できる（図８中白抜き破線矢印参照）。
【００２４】
展開状態にあるアーム14を第１棒体11に格納するには、操作クリップ161（図１参照）を使って操作ワイヤー16を引っ張り、ストッパー15を一時的に後退させた段階で、押し出し突起146の反発に抗してアーム14を手で押し込むように、倣い側縁149が出没スリット112を埋める位置に回動させる。そして、アーム14が格納状態に達したら、前記操作クリップ161を離してストッパー15を前進させ、再び先端面151でアーム14の後端縁142を押し、アーム14を拘束する（図４及び図５参照）。警棒１は、アーム14を第１棒体11の格納空間111に収めた後、縮める。こうしたアーム14の格納状態及び展開状態の切換や警棒１の伸縮はすべて逮捕現場ででき、予めする必要がない。これは、単一の警察官等が持ち、逮捕現場で適宜選択的に警棒１と刺股とを切り換えて、併用又は順に利用できるようにし、暴漢の行動に対して柔軟に対応できる効果をもたらす。
【００２５】
アーム14の第１棒体11に対する交差角γは、大きいほど刺股のＵ字状分岐部分の幅を大きくし、アーム14を展開した警棒１を刺股として使用しやすくする。交差角γは、後端縁142及び外側縁143が形成するストップ角αに等しくなるので、ストップ角αを大きくすると、交差角γも大きくできる。例えば図10及び図11に見られる別例の警棒１では、ストップ角α及び交差角γを60度（残余角βは30度）としている。これにより、アーム14の先端の鉤145は、上記例示（図１〜図９参照）より控え長Δがより大きくなり、アーム14を展開した警棒１であっても、より打突しやくすなっている。ここで、図８及び図９を見れば明らかなように、別例の警棒１は、上記本例の警棒１とほとんど部品が共通であり、アーム14及びストッパー15のストップ角α及び残余角βが異なるだけである。これから、一部の部品を変更するだけで、アーム14の交差角γの異なり仕様の警棒１を簡単に作ることができる。
【００２６】
また、図12及び図13に見られる更に別例の警棒１では、ストップ角αを90度とし、交差角γも90度としている。ストッパー15の先端面151を形成する残余角βは０度、すなわち先端面151を平坦にしている。この場合、アーム14の先端の鉤145は、上記例示（図１〜図９参照）より控え長Δが更に大きくなっており、アーム14は警棒１の先端側に設けた鍔のようになっている。この更に別例の警棒１も、上述同様、ほとんど部品が本例又は別例の警棒１と共通であり、アーム14及びストッパー15のストップ角α及び残余角βが異なるだけであるから、一部の部品を変更するだけで、更に別例の警棒１を簡単に作ることができる。
【００２７】
このほか、詳細な説明は上述までの警棒１に譲るが、本発明の刺股形成機構は、図14に見られるように、警杖２にも適用できる。本例の警杖２は、上記本例の警棒１（図１〜図９参照）の第１棒体11に相当する長尺な棒体21のみから構成される非伸縮式であるが、前記棒体21に設けられた出没スリット212から、先端に鉤245を設けたアーム24を回動させて展開する刺股形成機構は同一である。例えば、図示は省略するが、アーム24の拘束を解除するため、棒体21後端に位置する操作クリップ261を引っ張り、操作条を介してストッパーを一時的に後退させる構成も同じである。警杖２は、上記例示の各警棒１と異なり、通常長尺な棒体21を用いているため、アーム24を展開させると、より本来の刺股に近い態様で使用できる。
【符号の説明】
【００２８】
１  警棒
11  第１棒体
12  第２棒体
13  第３棒体
14  アーム
15  ストッパー
16  操作ワイヤー
２  警杖
21  棒体
24  アーム
α  ストップ角
β  残余角
γ  交差角
Δ  棒体の先端からの控え長
【図１】
2010249442.tif 000003
【図２】
2010249442.tif 000004
【図３】
2010249442.tif 000005
【図４】
2010249442.tif 000006
【図５】
2010249442.tif 000007
【図６】
2010249442.tif 000008
【図７】
2010249442.tif 000009
【図８】
2010249442.tif 000010
【図９】
2010249442.tif 000011
【図１０】
2010249442.tif 000012
【図１１】
2010249442.tif 000013
【図１２】
2010249442.tif 000014
【図１３】
2010249442.tif 000015
【図１４】
2010249442.tif 000016